(57)【要約】      （修正有）【課題】紙カルテの利点と電子カルテの利点を兼ね備え、患者情報の管理が簡素化するとともに、効率的に、且つ、患者が所望する診察可能な患者情報管理システムを提供する。【解決手段】予め診察カード４０に記憶された患者固有の登録情報から患者の特定をする機能と、診察情報を送出する機能を有する受付用端末と、患者単位の患者別フォルダ２２ａに保存した過去の患者情報を患者情報データベース２２として記憶する患者情報管理サーバ２０と、受付用端末１１からの診察情報に基づいて患者情報管理サーバ２０から診察対象となる患者に該当する患者情報を取得し、取得した患者情報を所望の表示形態で表示制御する機能を有する診察用端末とを備えた。【選択図】図２
2008217583.tif 000002
【特許請求の範囲】
【請求項１】
予め診察カードに記憶された患者固有の登録情報から前記患者の特定をする機能と、前記診察情報を送出する機能を有する受付用端末と、
前記患者の過去の患者情報を該情報毎に分類可能なファイル名を付けた状態で保存した患者単位の患者別フォルダを患者情報データベースとして記憶する患者情報管理サーバと、
前記受付用端末からの前記診察情報に基づいて前記患者情報管理サーバから診察対象となる前記患者に該当する患者情報を取得し、該取得した患者情報を所望の表示形態で表示制御する機能を有する診察用端末と、
を備えたことを特徴とする患者情報管理システム。
【請求項２】
前記受付用端末と前記診察用端末の少なくとも一方に接続され、前記登録情報と前記患者の診察に関わる各種情報とからなる診察情報に基づいて、診察時に使用する情報媒体を識別可能な状態で印刷するとともに、識別可能な状態でない情報媒体を識別可能にするために該情報媒体に貼付される２次元コードを印刷する印刷装置を備えたことを特徴とする請求項１記載の患者情報管理システム。
【請求項３】
前記印刷装置は、前記診察時に使用する情報媒体の情報記載面を読み取る機能を有することを特徴とする請求項２記載の患者情報管理システム。
【請求項４】
前記受付用端末及び／又は前記診察用端末は、診察に関する患者情報を前記患者情報管理サーバに書き込みをする機能を有することを特徴とする請求項１〜３の何れかに記載の患者情報管理システム。
【請求項５】
前記診察用端末は、前記患者情報管理サーバに記憶された患者情報のうち、該患者情報のファイル名と関連付けた情報のみを選択的に表示する機能を有することを特徴とする請求項１〜４の何れかに記載の患者情報管理システム。
【請求項６】
前記診察用端末は、過去の診察時の診察内容が診察内容毎に異なるアイコンとして簡易表示し、前記アイコンの何れかを選択したときには該選択されたアイコンに関する内容を詳細表示する機能を有することを特徴とする請求項１〜５の何れかに記載の患者情報管理システム。
【請求項７】
前記診察用端末は、患者の予約状況をカレンダーの日付部分に識別可能な状態で表示制御することを特徴とする請求項１〜６の何れかに記載の患者情報管理システム。
【請求項８】
前記診察用端末は、前記患者が入院した際に作成される電子温度板とともに表示される医用画像データを選択したときに該医用画像データを拡大表示し、さらに前記拡大表示した医用画像データを選択したときには該選択された医用画像データを別画面で詳細表示する機能を有することを特徴とする請求項１〜７の何れかに記載の患者情報管理システム。
【発明の詳細な説明】
【技術分野】
【０００１】
本発明は、特に診療科を多数備えた大学病院や総合病院等における診察時間の短縮化を図るとともに、患者情報の管理や閲覧を効率的に行うことのできる患者情報管理システムに関するものである。
【背景技術】
【０００２】
従来より、診察時において患者氏名や患者ＩＤ等の基本情報に加えて、患者の容体や症状等の患者情報が記入された紙カルテや検査時に撮像したレントゲン写真等の医用画像写真を情報媒体として保管している。しかしながら、このような情報媒体を保管する保管スペース確保の困難性や紛失等の問題により、現在ではパソコン等の入力端末を使用し、診察時に患者情報をキーボードで入力し、診察時の患者情報を電子データ化して管理する病院が増えている。
なお、このような患者情報を電子データ化して保管／管理する医療システムとしては、例えば特許文献１または特許文献２のようなものが公知である。
【特許文献１】特開２００５−１８２２３９号公報
【特許文献２】特開２００４−１５７６００号公報
【発明の開示】
【発明が解決しようとする課題】
【０００３】
しかしながら、従来より紙カルテに記入しながら診察をしていた医師にとって、診察時に患者を診察しながら診察内容等の患者情報をキーボード入力するというのは熟練した医師であっても困難であり、例えば患者との会話や診察内容が散漫になったり患者情報の入力ミス等の問題から医療の質が低下する虞があった。
したがって、電子カルテを導入している病院へキーボード入力経験に乏しい医師が配属となった場合は、診察に専念するため入力専門のスタッフを常駐せざるを得ず人件費等のコストが嵩むとともに、入力スタッフは医師資格を持っていないため、薬剤の名前や診察内容等の入力ミスから医療事故につながる虞もあった。
【０００４】
また、今まで紙カルテを採用してきた医師にとっては、不慣れなキーボード操作により紙カルテで診察していたときに比べて１日に診察できる患者数が減ってしまうという問題も起きている。さらに、大学病院や総合病院等の１日の診察患者数が多い病院では、キーボード操作により患者を効率よく診察することができず、従来以上に患者を無駄に待たせてしまうという問題も生じている。このことから、患者は電子カルテではなく、従来通りの紙カルテでの診察を望んでいる。
【０００５】
そこで、本発明は上記問題点に鑑みてなされたものであり、紙カルテの利点と電子カルテの利点を兼ね備え、患者情報の管理が簡素化するとともに、効率的に、且つ、質の高い診察を行うことのできる患者情報管理システムを提供することを目的とするものである。
【課題を解決するための手段】
【０００６】
上記した目的を達成するために、請求項１記載の患者情報管理システムは、予め診察カードに記憶された患者固有の登録情報から前記患者の特定をする機能と、前記診察情報を送出する機能を有する受付用端末と、
前記患者の患者情報を該情報毎に分類可能なファイル名を付けた状態で保存した患者単位の患者別フォルダを患者情報データベースとして記憶する患者情報管理サーバと、
前記受付用端末からの前記診察情報に基づいて前記患者情報管理サーバから診察対象となる前記患者に該当する患者情報を取得し、該取得した患者情報を所望の表示形態で表示制御する機能を有する診察用端末と、
を備えたことを特徴とする。
【０００７】
請求項２記載の患者情報管理システムは、請求項１記載の患者情報管理システムにおいて、前記受付用端末と前記診察用端末の少なくとも一方に接続され、前記登録情報と前記患者の診察に関わる各種情報とからなる診察情報に基づいて、診察時に使用する情報媒体を識別可能な状態で印刷するとともに、識別可能な状態でない情報媒体を識別可能にするために該情報媒体に貼付される２次元コードを印刷する印刷装置を備えたことを特徴とする。
【０００８】
請求項３記載の患者情報管理システムは、請求項２記載の患者情報管理システムにおいて、前記印刷装置は、前記診察時に使用する情報媒体の情報記載面を読み取る機能を有することを特徴とする。
【０００９】
請求項４記載の患者情報管理システムは、請求項１〜３の何れかに記載の患者情報管理システムにおいて、前記受付用端末及び／又は前記診察用端末は、診察に関する患者情報を前記患者情報管理サーバに書き込みをする機能を有することを特徴とする。
【００１０】
請求項５記載の患者情報管理システムは、請求項１〜４の何れかに記載の患者情報管理システムにおいて、前記診察用端末は、前記患者情報管理サーバに記憶された患者情報のうち、該患者情報のファイル名と関連付けた情報のみを選択的に表示する機能を有することを特徴とする。
【００１１】
請求項６記載の患者情報管理システムは、請求項１〜５の何れかに記載の患者情報管理システムにおいて、前記診察用端末は、過去の診察時の診察内容が診察内容毎に異なるアイコンとして簡易表示し、前記アイコンの何れかを選択したときには該選択されたアイコンに関する内容を詳細表示する機能を有することを特徴とする。
【００１２】
請求項７記載の患者情報管理システムは、請求項１〜６の何れかに記載の患者情報管理システムにおいて、前記診察用端末は、患者の予約状況をカレンダーの日付部分に識別可能な状態で表示制御することを特徴とする。
【００１３】
請求項８記載の患者情報管理システムは、請求項１〜７記載の患者情報管理システムにおいて、前記診察用端末は、前記患者が入院した際に作成される電子温度板とともに表示される医用画像データを選択したときに該医用画像データを拡大表示し、さらに前記拡大表示した医用画像データを選択したときには該選択された医用画像データを別画面で詳細表示する機能を有することを特徴とする。
【発明の効果】
【００１４】
本発明の患者情報管理システムによれば、担当医は紙カルテで診察しながら容易に患者情報を閲覧して診察を行うことができるため、電子カルテのみの診察に比べて効率的に診察が行え、且つ、患者に対し最良の医療を提供することができる。
また、紙カルテや医用画像写真等の情報媒体を電子化データとして患者情報管理サーバの患者別フォルダに一括管理しているため、紙カルテや医用画像の管理や検索を簡便に行うことができる。
【発明を実施するための最良の形態】
【００１５】
以下、本発明の最良の形態について、添付した図面を参照しながらそれぞれ説明する。図１は本発明に係る患者情報管理システムの概略を説明するための概念図であり、図２は本発明に係る患者情報管理システムの構成を説明するための概略ブロック図であり、図３（ａ）は受付で発行される紙カルテ（１号用紙）の一例を示す説明図であり、図３（ｂ）は図３（ａ）と同様に受付で発行される紙カルテ（２号用紙）の一例を示す説明図であり、図４（ａ）は病院で使用される紹介状の一例を示す説明図であり、図４（ｂ）は病院で使用される生理検査依頼書の一例を示す説明図であり、図５（ａ）は病院で使用される検体検査依頼書の一例を示す説明図であり、図５（ｂ）は病院で使用されるレセプト（診察報酬明細書）の一例を示す説明図であり、図６は患者情報を診察用端末に表示した際の基本表示画面を示す説明図であり、図７は図６に示した受診履歴表示エリアの拡大説明図であり、図８は図７に表示された医用画像を別画面に詳細表示した一例を説明するための説明図であり、図９は図６におけるカレンダー表示エリアの拡大説明図であり、図１０は入院患者用の電子温度板を表示した例を説明するための説明図であり、図１１は図１０で選択された医用画像を別画面に詳細表示した一例を説明するための説明図である。
【００１６】
まず、図１を参照しながら、本例の患者情報管理システムについて詳細に説明する。図１に示すように、患者情報管理システム１は、例えばＬＡＮ等のネットワーク網が構築された病院に導入され、総合受付１０、患者情報管理サーバ２０、診察内容に応じた診療科３０との間で患者情報等の各種情報を相互でデータ通信可能とされる。
なお、本例では、病院内でのネットワーク網によるデータ通信の例について説明するが、例えばインターネットやＶＰＮ（Virtual Private Network ）などのネットワークを利用して提携した病院との間で患者情報を共有することで、患者が病院を転院した場合であっても効率的に患者を診察することができる。
【００１７】
さらに詳しく説明すると、図２に示すように、患者情報管理システム１は、例えば総合受付１０や各診療科３０の受付等に設置される受付用端末１１と、患者情報を保管する患者情報管理サーバ２０と、各診療科３０に設置された診察用端末３１とで概略構成され、ネットワーク網を介して相互にデータ通信可能に接続されている。
【００１８】
受付用端末１１は、例えばパソコン等の外部通信可能な端末機器であり、記憶手段１１ａと、照合制御手段１１ｂと、診察情報通信手段１１ｃと、患者情報書込手段１１ｄと、表示手段１１ｅと、入力手段１１ｆとを備えて構成される。
また、受付用端末１１は、患者が持参した例えば磁気カード、ＩＣカード、非接触型ＩＣチップ内蔵カード等で構成される診察カード４０から患者の登録情報（氏名，読み仮名，年齢，性別，生年月日，病院毎で設定される患者ＩＤ，保険証の種類等）を読み取るカード読取器１２と、紙カルテ，紹介状等の紙媒体や医用画像写真等の情報媒体の読み取りや紙カルテ等を印刷する印刷装置１３とが、例えばＵＳＢケーブル等の通信ケーブルを介して接続されている。
【００１９】
記憶手段１１ａは、例えば磁気的、光学的記憶媒体若しくはＲＯＭ、ＲＡＭ等の半導体メモリで構成される。記憶手段１１ａは、患者毎の登録情報や患者が予約をしている場合はその予約先の診察科や診察する担当医名等の診察に関わる各種情報を記憶している。
【００２０】
照合制御手段１１ｂは、カード読取器１２で読み取った診察カード４０の登録情報と予め記憶手段１１ａに記憶されている登録情報とを照合し、この読み取った登録情報がどの患者の登録情報であるかを判別して患者を特定する。そして、照合制御手段１１ｂは、判別結果に基づいて患者を特定すると、この患者の登録情報、患者の受付日時、診察科、診察する担当医名等の診察に関わる各種情報からなる診察情報とを、後述する診情報通信手段１１ｃ、印刷装置１３へそれぞれ出力する。
【００２１】
診察情報通信手段１１ｃは、患者が受付での手続きを完了すると、照合制御手段１１ｂから出力された診察情報を、患者が受診する各診療科３０に設置された診察用端末３１に対して通信する。
【００２２】
患者情報書込手段１１ｄは、入力手段１１ｆからの操作により、外部接続された印刷装置１３で読み取った紙カルテや紹介状等の紙媒体や医用画像写真等の診察時に使用する情報媒体の電子化データ等の診察に関する患者情報を患者情報管理サーバ２０に対して書き込みを行う。
【００２３】
表示手段１１ｅは、例えばＣＲＴモニタや液晶ディスプレイ等の表示機器で構成され、各患者毎の登録情報や登録情報一覧等の各種情報表示やシステム操作画面の表示の他、受付用端末１１の駆動に必要な各種画面を表示する。
【００２４】
入力手段１１ｆは、例えばテンキーや文字入力キー等の各種入力キーを備えたキーボードやマウス等で構成され、表示手段１１ｅに表示された各種表示内容を選択したり各種データを入力する際に使用する。
【００２５】
カード読取器１２は、診察カード４０に記憶された登録情報を読み取るための例えばスワイプ式、挿入式、非接触式のカードリーダで構成される。このカード読取器１２は、オペレータの所定操作により診察カード４０に記憶された登録情報を読み取り、この読み取った登録情報を照合判別手段１１ｂに出力している。
【００２６】
印刷装置１３は、スキャン機能を備えた印刷機器で構成される。印刷装置１３は、患者が他院から持参した紙カルテ，紹介状等の紙媒体や医用画像写真等の情報媒体の情報記載面を読み取り、この読み取った情報記載面を電子データ化して患者情報管理サーバ２０や不図示のレセプトコンピュータへ送出している。
また、印刷装置１３は、受付した患者の診察情報に基づいて、例えば図３（ａ），（ｂ）に示すように、患者を診察する際に使用する紙カルテを印刷して発行する。この紙カルテには、図示のように照合制御手段１１ｂから出力された診察情報、用紙を特定するための用紙情報等を２次元コード化した２次元コード、その他患者氏名、患者ＩＤ等の登録情報欄、用紙情報、その日診察した診察内容を書き込む所見書込欄、検査内容、現在処方している薬品名等が印刷されている。
さらに、印刷装置１３は、例えば患者が他院から持参した紙カルテ，紹介状等の紙媒体や医用画像写真等の印刷装置１３で印刷していない情報媒体がある場合に、これらの情報媒体がどの患者のものかを特定するため、入力手段１１ｆで患者の診察情報、情報媒体を特定するための用紙情報等を入力して２次元コード化し、この２次元コードに基づく貼付シールを印刷している。
【００２７】
ここで、本例で使用される２次元コードについて説明する。２次元コードとは、横方向にしか情報を持たない一次元コード（バーコード）に対し、水平方向と垂直方向に情報を持つ表示方式のコードである。２次元コードは、バーコードに比べ、より多くの情報をコード化でき、また印字面積を小さくできるという利点がある。２次元コードの種類としては、従来のバーコードを積み上げた形のスタック型２次元コードと、パターンが格子状になっているマトリックス型２次元コードの２種類からなり、スタック型２次元コードはＰＤＦ４１７等があり、マトリックス型２次元コードは例えばＱＲコード（登録商標）、ＳＰコード、ベリコード、マキシコード等がある。
【００２８】
患者情報管理サーバ２０は、診療科３０から出力された診察に関する各種患者情報を患者毎に振り分ける患者情報振分手段２１と、患者毎に作成された患者専用の患者別フォルダ２２ａからなる患者情報データベース２２とを備えて構成される。
【００２９】
患者情報振分手段２１は、印刷装置１３や各診療科３０に設置された後述する印刷装置３２を用いて読み取られた、例えば図３（ａ），（ｂ）に示すような紙カルテ，図４（ａ）に示すような紹介状，図４（ｂ）に示すような生理検査依頼書，図５（ａ）に示すような検体検査依頼書，図５（ｂ）に示すようなレセプト（医療報酬明細書）等の紙媒体や医用画像写真等の情報媒体の電子化データ、検査時に撮像した医用画像データ、検査時に作成した検査データ等の患者情報を、どの患者のどのような情報であるかを分類可能にするためのファイル名を付けた後、患者専用の患者別フォルダ２２ａに保存している。
【００３０】
患者情報データベース２２は、各患者毎に作成された患者専用の患者別フォルダ２２ａを有し、患者情報振分手段２１によって振り分けられた患者情報を患者別フォルダ２２ａに保存している。
【００３１】
ここで、患者別フォルダ２２ａに保存する各種情報の保存方法について説明する。
情報媒体の電子化データの保存方法としては、例えば各診療科３０などで受診時に作成された紙カルテの場合、印刷装置３２を用いて紙面をＰＤＦ形式及び／または解像度３００ｄｐｉ以上のＴＩＦＦ形式で読み取り、この読み取った電子化データが各診療科３０の診察用端末３１を介して患者情報振分手段２１に出力される。そして、患者情報振分手段２１により、紙カルテに印刷された２次元コードデータに基づいて各媒体の分類が可能に関連付けされたファイル名が作成された後、患者の患者別フォルダ２２ａへ自動的に振り分け保存される。
【００３２】
次に、医用画像データの保存方法としては、各診療科３０で検査した際に撮像した各種医用画像データを、印刷装置３２を用いてＤＩＣＯＭ形式及びＪＰＥＧ形式で読み取り、この読み取った医用画像データが各診療科３０の診察用端末３１を介して書き込まれる。そして、患者情報振分手段２１により、各データ毎に分類可能に関連付けされたファイル名が作成された後、患者の患者別フォルダ２２ａへ自動的に振り分け保存される。。  なお、医用画像データは、例えばＭＲＩやレントゲン機器などの医用画像を撮像した医療機器からネットワーク網を介して直接患者情報管理サーバ２０へ書き込みすることも可能である。
【００３３】
次に、検査データの保存方法としては、診療科３０で行われた検査に関する検査データを、ＪＰＥＧ形式で保存（必要に応じてＤＩＣＯＭ形式でも保存）し、各データ毎に分類可能に関連付けされたファイル名が作成された後、この検査データを患者の患者別フォルダ２２ａへ自動的に振り分け保存される。
【００３４】
診察用端末３１は、各診療科３０毎に設置される例えばパソコン等の外部通信可能な端末機器であり、診察情報取得手段３１ａと、患者情報取得手段３１ｂと、入力手段３１ｃと、患者情報書込手段３１ｄと、表示手段３１ｅと、表示制御手段３１ｆとを備えて構成される。
また、診察用端末３１は、紙カルテ，紹介状等の紙媒体や医用画像写真等の情報媒体の読み取りや、医療機器によって撮像した医用画像写真や各検査の検査データ等を印刷する印刷装置３２がＵＳＢケーブル等の通信ケーブルを介して接続されている。
【００３５】
診察情報取得手段３１ａは、診察情報通信手段１１ｃから送出された診察情報をネットワーク網を介して取得し、この取得した診察情報を患者情報取得手段３１ｂに送出している。
【００３６】
患者情報取得手段３１ｂは、受付用端末１１から送出された診察情報に基づいて患者情報管理サーバ２０と通信を行い、この診察情報に基づいて、患者情報管理サーバ２０から診察対象となる患者の患者情報を取得する。また、患者情報取得手段３１ｂは、診療科３０で医用画像写真や検査データ等を印刷する場合、各情報の分類や患者を特定するのに必要な２次元コードを印刷するため、必要に応じて患者情報を印刷装置３２に出力している。
【００３７】
入力手段３１ｃは、例えばテンキーや文字入力キー等の各種入力キーを備えたキーボードやマウス等で構成され、表示手段３１ｅに表示された各種表示内容の切替えや選択したり診察時やシステム設定時に必要なデータを入力する際に使用する。
【００３８】
患者情報書込手段３１ｄは、入力手段３１ｃからの操作により、外部接続された印刷装置３２で読み取った紙カルテや紹介状等の紙媒体や医用画像写真等の診察時に使用する情報媒体の電子化データ、医用画像データ、検査データ等の診察に関する患者情報を患者情報管理サーバ２０に対して書き込みを行う。
【００３９】
表示手段３１ｅは、例えばＣＲＴモニタや液晶ディスプレイ等の表示機器で構成される。表示手段３１ｅは、後述する表示制御手段３１ｆの制御に基づいて、患者情報管理サーバ２０から読み取った紙カルテ，紹介状等の電子化データや医用画像データ等の患者情報の表示やシステム操作画面の表示等、診察時に必要な各種画面を表示する。
【００４０】
表示制御手段３１ｆは、患者情報管理サーバ２０から読み取った各種患者情報や入力手段３１ｃの操作に基づいて、表示手段３１ｅに表示する表示内容の選択表示、表示の切替え、表示画面の拡大／縮小、別画面表示等の各種表示制御を行う。表示制御手段３１ｆは、患者情報管理サーバ２０から患者情報を取得すると、図６示すように、まず基本表示画面を表示手段３１ｅに表示する。
【００４１】
ここで、表示制御手段３１ｆによる表示画面の制御について各表示エリア毎に説明する。なお、図６〜図１１に示す表示制御例は一例であり、レイアウトや表示形態はこれに限定されることはない。
【００４２】
基本表示画面には、患者情報における各種情報媒体から読み取った電子化データを表示する電子化データ表示エリア、所望の電子化データを表示切り替えするための電子化データ切替タブ、表示した電子化データをページ順に表示切替を行うページ切替キー、過去３年分の患者の受診履歴を簡易表示する受診履歴表示エリア、診療日から３カ月後までの予約状況を表示した予約カレンダーを表示するカレンダー表示エリア、患者が受診した際の担当医氏名や行った治療内容等を過去の病歴毎に表示する病歴表示エリア、担当医が診察時に気がついた内容等を簡単に記入するコメント記入エリア等の各種患者情報が、エリア別に表示制御される。
【００４３】
ここで、基本表示画面からの各表示内容の表示制御について説明をする。図６に示すように、表示手段３１ｅには基本表示画面が各表示内容毎のエリアに分かれて表示されており、担当医が入力手段３１ｃを所定操作することで各表示内容の選択／切替が行える。また、各表示エリアは、その情報量により上下または左右にスクロール表示可能に制御される。
【００４４】
電子化データ表示エリアは、図６に示すように、電子化データ切替タブの選択によって表示内容の切り替えを行い、切り替え時に選択したタブは例えば図中のように大きく表示されたり表示色が変わったりなど強調表示される。この電子化データ切替タブは、患者情報管理サーバ２０の患者別フォルダ２２ａに記憶された各種データのうちタブに関連する患者情報のみを表示するために、タブと患者情報のファイル名とが関連付けされている。すなわち、電子化データ切替タブを選択すると、患者情報管理サーバ２０の患者別フォルダ２２ａに記憶された患者情報のうち、選択したタブに関連した電子化データのみが表示される。
例えば「１号紙」のタブを選択すると図３（ａ）に示すような１号用紙のみが表示され、「２号紙」のタブを選択すると図３（ｂ）に示すような２号用紙のみが表示され、「紹介状」のタブを選択すると図４（ａ）に示すような紹介状のみが表示され、「生理検査」のタブを選択すると図４（ｂ）に示すような生理検査依頼書のみが表示され、「検体検査」のタブを選択すると図５（ａ）に示すような検体検査依頼書のみが表示され、「レセプト」のタブを選択すると図５（ｂ）に示すようなレセプト（医療報酬明細書）のみが表示される。
また、電子化データ切替タブで選択した電子化データが複数ある場合は、タブを選択した際に、そのタブに関連する全ての電子化データがサムネイル表示され、その表示の中から所望の電子化データを選択すると、その電子化データが表示される。さらに、選択した電子化データが複数ページある場合にページ切替キーを選択すると、電子化データの表示内容がページを捲る様にページ順に切り替わる。
【００４５】
受診履歴表示エリアは、図７に示すように、患者の過去３年間の受診履歴が月単位で１年毎にカレンダー表示され、その月単位で受診した診療科の種類が簡易表示される。また、受診履歴表示エリアは、その月の診察回数である「回」、受診した診療科を記す「診療科」、実施された診療内容を示す「実施項目」の各項目に分かれており、実施項目には処方薬の有無、注射の有無、医用画像の有無、検査の有無等がアイコン表示される。そして、この実施項目を選択すると、その選択した項目の詳細が表示される。例えば、図中に示すように、カプセルのアイコンを選択すると、担当医名と薬が処方された年月日と処方薬の種類が表示される。
また、受診履歴表示エリアにおいて、エリアに表示された医用画像データが簡易表示（この場合の画像データはＪＰＥＧ形式で表示）される。このとき、簡易表示された医用画像を入力手段３１ｃで選択すると拡大表示され、さらに拡大表示した医用画像を選択すると、図８に示すように、別画面に詳細表示（この場合の画像データはＤＩＣＯＭ形式で表示）する。
【００４６】
カレンダー表示エリアは、図９に示すように、診療日から３カ月後の予約カレンダーが表示される。そして、図中に示すように、各日にはそれぞれ予約数を簡易的に示したインジケータが表示される。この図では、午前９時台（９〜１０）、午前１０時台（１０〜１１）、午前１１時台（１１〜１２）、午後１２時台（１２〜１３３）のように、午前中の４時間を１時間毎に分けた表示をし、予約が埋まっているか否かを色分け表示（例えば空いているときは青、埋まった場合は赤）している。そして、担当医は、患者の予約を行う際に、予約日のインジケータを選択するだけで、その日時の予約をすることができる。
なお、本例のインジケータは、午前９時台、午前１０時台、午前１１時台、午後１２時台のように、午前中の診療時間である４時間を１時間毎に分けた表示をしているが、これに限定されることはなく、例えば午前、午後のように２つのインジケータであったり、午前、午後、夜間のように３つに区分けするなど、使用環境や担当医によって任意に設定することができる。また、各インジケータの予約数の上限は、担当医に応じて任意に設定することができる。
【００４７】
病歴表示エリアは、図６に示すように、患者が受診した際の担当医氏名や行った治療内容等が過去の受診履歴毎に簡易表示される。また、コメント記入エリアは、担当医がその診察時に気がついた内容等を簡単に記入することができ、ここに表示された診察日時やコメントを選択すると、そのときの紙カルテの電子化データが電子化データ表示エリアに表示される。
【００４８】
また、患者が入院している場合は、基本表示画面において担当医が入力手段３１ｃを所定操作すると、図１０に示すような入院患者の体温、検査時の各種数値、検査時に撮像した医用画像データ、食事摂取量、排泄記録等の患者情報を電子データ化した電子温度板が表示される。この電子温度板を表示した際に、入力手段３１ｃを所定操作して医用画像（この場合の画像データはＪＰＥＧ形式で表示）を選択すると、選択された医用画像は拡大表示され、さらに選択すると図１１に示すように、選択した医用画像が別画面に詳細表示（この場合の画像データはＤＩＣＯＭ形式で表示）される。
【００４９】
印刷装置３２は、例えばスキャナ機能を備えた印刷機器で構成される。印刷装置３２は、診察時に記入した紙カルテ，紹介状等の紙媒体や医用画像写真等の情報媒体の情報記載面を読み取り、この読み取った情報記載面を電子データ化して患者情報管理サーバ２０や不図示のレセプトコンピュータへ送出している。
また、印刷装置３２は、各診療科３０において撮像された医用画像写真や生理検査，検体検査などの検査データ表等の患者情報を印刷する際に、これらの情報媒体がどの患者のものかを特定するため、入力手段３１ｃで患者の診察情報、媒体を特定するための用紙情報等を入力して２次元コード化し、この２次元コードと患者情報とを印刷している。
さらに、印刷装置３２は、他院からの紙カルテや紹介状等の紙媒体や医用画像写真等の２次元コードが印刷されていない情報媒体がある場合、これらの情報媒体がどの患者のものかを特定するため、入力手段３１ｃで患者の診察情報、各情報媒体を特定するための用紙情報等を入力して２次元コード化し、この２次元コードに基づく貼付シールを印刷している。
【００５０】
次に、上述した患者情報管理システム１の処理動作について説明する。ここでは、患者が病院に来院し、担当医が紙カルテと電子カルテとを併用して患者を診察した後、看護師が紙カルテを印刷装置３２で読み取りって患者情報管理サーバ２０へデータ更新する例について説明する。
【００５１】
まず、患者は病院に来院すると、総合受付１０において持参した診察カード４０を提示する。受付スタッフは、カード読取器１２を用いて、診察カード４０から登録情報を読み取る。そして、受付スタッフは、読み取った登録情報と受付用端末１１に予め記憶された登録情報とを照合し、来院した患者がどの患者であるかを判別して特定する。
【００５２】
患者の特定ができると、受付スタッフは患者の登録情報と受付日時、診察する担当医名等の診察に関する診察情報を所望の診療科３０へ通信するとともに、図３（ａ），（ｂ）に示すような、この診察情報を２次元コード化して印刷した紙カルテを発行する。
【００５３】
そして、診察用端末３１は、受付から診察順に受信した診察情報に基づいて、患者の患者情報を患者情報管理サーバ２０から取得する。そして、担当医は、受付用端末１１から受信した患者情報の順番で患者を診察室に案内し、受付で発行した患者毎の紙カルテに診察内容を書き込む。また、必要に応じて、図６に示す電子化データ切替タブを選択して図３〜図５に示すように各種電子化データを電子化データ表示エリアに表示させたり、図７〜図９に示すように患者の受診履歴や次回の予約を行う予約カレンダーを閲覧しながら患者を診察する。
【００５４】
診察後、看護師は、診察内容を記載した紙カルテを印刷装置３２で読み取って電子化データとし、この電子化データを患者情報管理サーバ２０へ書き込む。そして、患者情報管理サーバ２０は、書き込まれた電子化データの２次元コードの情報に基づいて各データ毎に分類可能に関連付けされたファイル名を付けた後、患者の患者別フォルダ２２ａへ自動的に振り分け保存する。
【００５５】
なお、印刷装置３２において紙カルテを読み取る際に、紙カルテのマークシート欄にチェックされている各チェック項目も同時に読み取り、この読み取った各項目のマークシート情報を不図示のレセプトコンピュータや検査室等に送出する。レセプトコンピュータは、このマークシート情報に基づいて、会計時に必要な治療内容や検査内容、処方した薬名等の各種情報を受付や医事課に送出するとともに、選択された項目から各症状に対応する薬の種類や検査内容等の統計データを取り、この統計データに基づいて紙カルテの内容や医師の治療方針を統計付けている。また、検査室に送出された紙カルテのマークシート情報を、患者が検査する器具や装置を予約するためのオーダー情報として使用することもできる。
【００５６】
また、診察中に患者から２次元コードが印刷されていない他院の医用画像写真や紹介状等が提出された場合は、診察情報に基づく２次元コードを印刷装置３２で印刷し、診察後にこの情報媒体に貼付した後、印刷装置３２で読み取って、患者情報管理サーバ２０へ書き込みを行う。
【００５７】
このように、上述した患者情報管理システム１は、受付で患者が提示する診察カード４０から患者の登録情報を読み取り、この読み取った登録情報と診察日時や担当医名等の各種情報からなる診察情報を基に診察時に使用する紙カルテを作成し、診察用端末３１へ診察情報を通信する。そして、担当医は受付用端末１１から受信した診察用端末３１に基づいて患者情報管理サーバ２０から患者の患者情報を取得し、受付で発行された紙カルテと取得した患者情報とを併用して患者を診察する。そして、診察後、診察時に使用した紙カルテや紹介状等の情報媒体を読み取って得られた電子化データや医用画像データ等の患者情報を患者情報管理サーバ２０へ書き込み、患者情報管理サーバ２０は書き込まれた患者情報の２次元コードに基づいて各データ毎に分類可能なファイル名を付けた後、患者専用の患者別フォルダ２２ａに自動振り分けして保存する。
これにより、担当医は紙カルテで診察しながら容易に過去の患者情報を閲覧しながら診察を行うことができるため、電子カルテのみの診察に比べて診察時間が短縮化され効率的に診察を行えるとともに、患者の診察に対する不安を解消し信頼性の高い医療を提供することができる。
【００５８】
また、紙カルテや生理／検体検査依頼書等のマークシート欄の必要な項目にチェックしてチェック内容を電子的に処理するため、人為的な記入漏れや請求漏れを未然に防止することができる。さらに、患者情報を電子データ化して患者情報管理サーバ２０の患者別フォルダ２２ａに一括管理しているため、紙カルテや医用画像等の管理や検索を簡便に行うことができ、且つ、紙カルテ等の保管場所の省スペース化が図れるため、病院内のスペースを有効活用することができる。
【００５９】
上述した患者情報管理システム１では、受付用端末１１と診察用端末３１とのそれぞれに印刷装置１３、３２を接続して備えた構成で説明したが、病院の運営方法や規模によって少なくとも何れか一方に備えていればよい。また、受付用端末１１と診察用端末３１にそれぞれ患者情報書込手段１１ｄ、３１ｄを備えた構成で説明したが、何れかの端末１１、３１から患者情報管理サーバ２０へ患者情報の書き込みが可能であればよい。
【００６０】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００６１】
【図１】本発明に係る患者情報管理システムの概略を説明するための概念図である。
【図２】本発明に係る患者情報管理システムの構成を説明するための概略ブロック図である。
【図３】（ａ）  受付で発行される紙カルテ（１号用紙）の一例を示す説明図である。  （ｂ）  図３（ａ）と同様に受付で発行される紙カルテ（２号用紙）の一例を示す説明図である。
【図４】（ａ）  病院で使用される紹介状の一例を示す説明図である。  （ｂ）  病院で使用される生理検査依頼書の一例を示す説明図である。
【図５】（ａ）  病院で使用される検体検査依頼書の一例を示す説明図である。  （ｂ）  病院で使用されるレセプト（診察報酬明細書）の一例を示す説明図である。
【図６】患者情報を診察用端末に表示した際の基本表示画面を示す説明図である。
【図７】図６に示した受診履歴表示エリアの拡大説明図である。
【図８】図７に表示された医用画像を別画面に詳細表示した一例を説明するための説明図である。
【図９】図６におけるカレンダー表示エリアの拡大説明図である。
【図１０】入院患者用の電子温度板を表示した例を説明するための説明図である。
【図１１】図１０で選択された医用画像を別画面に詳細表示した一例を説明するための説明図である。
【符号の説明】
【００６２】
１  患者情報管理システム
１１  受付用端末
１１ａ  記憶手段
１１ｂ  照合制御手段
１１ｃ  診察情報通信手段
１１ｄ  患者情報書込手段
１１ｅ  表示手段
１１ｆ  入力手段
１２  カード読取器
１３  印刷装置
２０  患者情報管理サーバ
２２  患者情報データベース
２１  患者情報振分手段
２２ａ  患者別フォルダ
３１  診察用端末
３１ａ  診察情報取得手段
３１ｂ  患者情報取得手段
３１ｃ  入力手段
３１ｄ  患者情報書込手段
３１ｅ  表示手段
３１ｆ  表示制御手段
３２  画像読取装置
４０  診察カード
【図１】
2008217583.tif 000003
【図２】
2008217583.tif 000004
【図９】
2008217583.tif 000005
【図３】
2008217583.tif 000006
【図４】
2008217583.tif 000007
【図５】
2008217583.tif 000008
【図６】
2008217583.tif 000009
【図７】
2008217583.tif 000010
【図８】
2008217583.tif 000011
【図１０】
2008217583.tif 000012
【図１１】
2008217583.tif 000013